(57)【特許請求の範囲】
【請求項１】
軸受の内輪の延長部外周に、雄ネジ部とテーパ−部を設け、該テーパー部に周方向へ等間隔状で切割り部を形成し、
上記雄ネジ部へ螺装する固定用ナットの側面から、周方向へ等間隔状に固定ボルト用の雌ネジ孔を設け、
上記延長部外周のテーパー部へ内周のテーパー部で套合する固定用カラーに、上記固定用ナットの雌ネジ孔に対応したボルト通挿用孔と、同じく側面から周方向へ等間隔状に取外しボルト用の雌ネジ孔を形成することにより、
軸受を軸へ取り付け固定時には、固定ボルトを固定用カラーのボルト通挿用孔から、固定用ナットの雌ネジ孔へ螺合して締め付け、取り外し時には、取外しボルトを固定用カラーの雌ネジ孔へ螺合し、その先端部で固定用ナットの側面を押圧して取り外しを可能としたことを特徴とする、軸受の軸への取付構造。
【請求項２】
軸受の内輪の片側に形成した延長部外周に、雄ネジ部とテーパ−部を設け、該テーパー部に周方向へ等間隔状で切割り部を形成し、
上記雄ネジ部へ螺装する固定用ナットの側面から、周方向へ等間隔状に固定ボルト用の雌ネジ孔を設け、
上記延長部外周のテーパー部へ内周のテーパー部で套合する固定用カラーに、上記固定用ナットの雌ネジ孔に対応したボルト通挿用孔と、同じく側面から周方向へ等間隔状に取外しボルト用の雌ネジ孔を形成することにより、
軸受を軸へ取り付け固定時には、固定ボルトを固定用カラーのボルト通挿用孔から、固定用ナットの雌ネジ雌ネジ孔へ螺合して締め付け、取り外し時には、取外しボルトを固定用カラーの雌ネジ孔へ螺合し、その先端部で固定用ナットの側面を押圧して取り外しを可側面したことを特徴とする、軸受の軸への取付構造。
【請求項３】
軸受の内輪の両側に形成した各延長部外周に、雄ネジ部とテーパ−部を各々設け、該各テーパー部に周方向へ等間隔状で切割り部を各々形成し、
上記各雄ネジ部へ螺装する各固定用ナットの側面から、周方向へ等間隔状に固定ボルト用の雌ネジ孔を各々設け、
上記各延長部外周の各テーパー部へ内周のテーパー部で套合する各固定用カラーに、上記各固定用ナットの雌ネジ孔に対応したボルト通挿用孔と、同じく側面から周方向へ等間隔状に取外しボルト用の雌ネジ孔を各々形成することにより、
軸受を軸へ取り付け固定時には、固定ボルトを各固定用カラーの各ボルト通挿用孔から、各固定用ナットの各雌ネジ孔へ各々螺合して締め付け、取り外し時には、取外しボルトを各固定用カラーの各雌ネジ孔へ各々螺合し、その先端部で各固定用ナットの側面を押圧して取り外しを可能としたことを特徴とする、軸受の軸への取付構造。
【請求項４】
取外しボルトを固定ボルトと兼用するようにした、請求項１ないし３のいずれかに記載の軸受の軸への取付構造。
【請求項５】
取外しボルトを固定ボルトとは別個のものにした、請求項１ないし３のいずれかに記載の軸受の軸への取付構造。
【発明の詳細な説明】
【技術分野】
【０００１】
本発明は、例えば軸受においてその内輪（インナーレース）を回転軸（以下、軸という）に取り付け固定する構造に関するものである。
【背景技術】
【０００２】
軸受を軸に取り付け固定する手段としては、従来より幾つかのものが提案されている。例えば次のようなものがある。
【０００３】
イ）同心のカラー（スリーブ）に螺装された止めネジを締付けることにより、上記カラーを変形させて内輪を押さえ込み、軸受を軸に取り付け固定するもの。
【０００４】
ロ）アダプタースリーブのロックナットを締め付けることにより、軸受内周のテーパー面とスリーブ外周のテーパー面とを密着させて、軸受を軸に取り付け固定するもの。
【先行技術文献】
【非特許文献】
【０００５】
【非特許文献１】ａ）ＪＩＳ規格のＢ−１５５８：２００９，Ｐ．２の「３．４同心固定輪付き軸受」、Ｐ．４で「図２−同心固定輪付き軸受（ＵＭ型）」として表示されているもの。これは上記のイ）で述べたカラーと止めネジを用いたものである。
【非特許文献２】ｂ）同ＪＩＳ規格のＢ−１５５８：２００９のＰ．４で「図５−テーパー穴軸受（ＵＫ型）」として表示されているもの。これが上記ロ）で述べたテーパー面を用いたものである。
【特許文献】
【０００６】
【特許文献１】特開平２００６−９９６７号公報  これは、上記ロ）と同様にテーパー面を利用したものであるが、ロックナットの締め込みと、該ナットに形成した２個以上の貫通孔にボルトを螺装することにより、ボルトの先端面にて軸受内輪の端面が押圧されて、軸受が軸に套装してあるアダプタースリーブのテーパー上を大径側へ移動することで、取り付け固定するものである。
【発明の概要】
【発明が解決しようとする課題】
【０００７】
ところが、上記従来技術には、次のような問題点がある。
まず、上記非特許文献のイ）に記載のものは、同心カラーに取り付けられた止めネジの締め付けだけで、軸受を軸に取り付け固定するものであるが、両者の軸心の狂いが大きくなってしまう。また、止めネジによる両者の取り付け固定は、軸受の片側のみから行うために、反対側では内輪と軸とのすきまにより浮いた状態となるから、高速回転や高精度の回転では使用し難い面がある。しかも、止めネジの締め付けにより軸の周囲にカエリ等のキズが生じ、軸受を取り外すときに抜き難くなる不具合が発生する。
【０００８】
次に、上記非特許文献ロ）に記載のものでは、スリープ、ロックナット、座金等のアダプターを用いて軸受を軸に取り付け固定するので、上記イ）のものと異なり、軸心の狂いは小さくなる。しかし、ロックナットの締結の際にスリープが軸受の内輪を引っ張ることになるから、軸受内部で転がり位置のズレが発生するおそれがあるため、その取り付け固定の作業には熟練を要している。
【０００９】
上記特許文献１に記載のものは、押圧機能付ナットに関するものであるが、内輪の内周のテーパーとアダプタースリーブ外周のテーパーとの関係は、軸受を軸に取り付ける場合と取り外す場合とで逆向きになっている必要がある。そのため、この押圧機能付ナットおよびアダプタースリーブは、取り付け時または取り外し時の一方だけにしか対応することができなかった。
【００１０】
また軸受を軸に取り付ける場合に、内輪はアダプタースリーブのテーパーの大径側へ押されて固定するため、軸受内部のすきまを減少させてベアリング機能に影響を及ぼすおそれもあった。
【００１１】
本発明は、軸受の軸への取付構造に関して、上記従来手段における問題点の解消を課題としたものである。即ち、本発明の目的は、軸と軸受との軸心の狂いが小さく、軸受内部の転がり位置がズレ難く、軸表面をキズ付けることも少なくて、比較的簡単に取り付け固定作業を行えると共に、取り付けと取り外しの両方に対応でき、しかも軸受内部のすきまを減少させることのない、軸受の軸への取付構造を提供することにある。
【課題を解決するための手段】
【００１２】
本発明に係る軸受の軸への取付構造は、
軸受２の内輪３の延長部４外周に、雄ネジ部６とテーパ−部７を設け、該テーパー部７に周方向へ等間隔状で切割り部８を形成し、
上記雄ネジ部６へ螺装する固定用ナット９の側面から、周方向へ等間隔状に固定ボルト１３用の雌ネジ孔１２を設け、
上記延長部４外周のテーパー部７へ内周のテーパー部１５で套合する固定用カラー１４に、その側面から上記固定用ナット９の雌ネジ孔１２に対応したボルト通挿用孔１７と、同じく周方向へ等間隔状に取外しボルト１９用の雌ネジ孔１８を形成して、
軸受２を軸１へ取り付け固定時には、固定ボルト１３を固定用カラー１４のボルト通挿用孔１７から、固定用ナット９の雌ネジ孔１２へ螺合して締め付け、取り外し時には、固定ボルト１３を取り外した後に、取外しボルト１９を固定用カラー１４の雌ネジ孔１８へ螺合し、その先端部で固定用ナット９の側面１１を押圧可能としたものである。
【００１３】
上記構成において、内輪３の側方への延長部４を内輪３の片側に形成して、上記のごとく構成したもの（例えば図１参照）に限らず、延長部４を内輪３の両側に形成して、上記と同様の構成を設けるようにしてもよい（例えば図５参照）。また、固定ボルト１３と取外しボルト１９は兼用してもよいが、別のものを用いてもよい。
【発明の効果】
【００１４】
上記構成の軸受の軸への取付構造によれば、次の作用・効果を有する。
１）軸受２を軸１へ取り付け固定、及び取り外し作業を、特に熟練者でなくても容易・迅速に行うことができるようになる。
【００１５】
まず、軸受２を軸１に取り付け固定する場合には、軸受２の内輪３の延長部４に形成してある雄ネジ部６に、固定用ナット９を段差部５で止まる位置まで螺装させる。次いで固定用カラー１４を、内周のテーパー部１５で内輪３側のテーパー部７に套合させる。この際に固定用カラー１４の各ボルト通挿用孔１７が、固定用ナット９の各雌ネジ孔１２に一致するように周方向の位置を調節しておく。そして、その軸受２を軸１上の所定位置に套合させ、この状態で固定ボルト１３を、上記固定用カラー１４の各ボルト通挿用孔１７から、固定用ナット９の各雌ネジ孔１２へ螺合させて、均等に締め付けていく。
【００１６】
この締め付けにより、固定用カラー１４が固定用ナット９側へ押される、換言すれば固定用ナット側へ引かれる力（例えば図３の矢印Ｆ参照）が作用し、固定用カラー１４のテーパー部１５が内輪３側のテーパー部７上に乗り上げて嵌合する。これで、内輪３側のテーパー部７が内径方向へ押される力（例えば図３の矢印ｆ参照）が作用するから、該テーパー部７に形成してある複数個の切割り部８が絞られることになり、軸受２が軸１に取りけ付け固定される。
【００１７】
次に、軸受２を軸１から取り外す場合には、上記各固定ボルト１３を緩めて取り外しておき、固定用カラー１４の側面に形成してある取外しボルト用の各雌ネジ孔１８に、取外しボルト１９を螺合して締付ければよい。
【００１８】
これで、該取外しボルト１９の先端部が固定用ナット９の側面１１を押圧することになり、固定用カラー１４を内輪延長部４の側端方向（例えば図４で右方向）へ押し出す力（同図で矢印ｒ参照）が作用する。その結果、延長部４のテーパー部７の切割り部８を絞る力が解けるから、軸受２の軸方向への移動が可能となり、該軸受２は容易に取り外すことができる。
【００１９】
２）本構成の軸受の軸への取付構造によれば、軸受２を軸１へ取り付けた場合に、両者１，２間の軸心の狂いを小さく抑えることができる。
軸受２を軸１へ取り付けた場合に、上記のように延長部４のテーパー部７に形成した周方向へ等間隔状の複数個の切割り部８が、均等に軸心方向へ絞られることにより、軸受２が軸１に取り付け固定がなされている。そのため、軸受２と軸１との軸心の狂いをきわめて小さく抑えることができる。
【００２０】
３）同じく、上記の如く軸受２を軸１へ取り付け固定する場合に、軸受内部の転がり位置のズレを無くせる。
即ち、軸受２を軸１へ取り付け固定する作業は、固定ボルト１３の締め付けで固定用カラー１４が固定用ナット９側へ引かれることにより行われている。軸受２の内輪３が軸方向へ移動しないから、取り付け作業中に軸受２の内部で転がり位置がズレるようなことが無くなり、この面でも取り付け作業が簡単となり、容易・迅速に取り付け固定作業を行うことができる。
【００２１】
４）同じく、軸受２を軸１へ取り付け固定する場合に、軸１の周囲にキズを付けることが少なくできる。
【００２２】
上記の如く、軸受２を軸１へ取り付け固定する作業は、固定ボルト１３の締め付けにより、内輪延長部４のテーパー部７の切割り部８を軸心方向へ絞って行うものである。そのため、軸１の周囲に擦りキズを付けることも少なくできる。
【００２３】
５）本構成の軸受の軸への取付構造によれば、取り付け固定時と取り外し時の両方の作業に対応でき、かつ軸受内部のすきまを減少させることもなくなる。
【００２４】
即ち、本構成では内輪３と固定用ナット９と固定用カラー１４とを組合わせた構造としてある。従来技術（特開２００６−９９６７）では、テーパー部の向きの関係で、取り付け固定時か取り外し時いずれか一方にだけしか使用できなかったが、本構成では軸受２を軸１へ取り付け固定する際は勿論のこと、そのままの状態で取り外し作業にも使用することができる。
【００２５】
また上記従来技術と異なり、内輪延長部４のテーパー部７の切割り部８を軸心方向へ絞って、軸受２を軸１へ取り付け固定するものであるから、その取り付け固定により軸受２の内部すきまを減少させることは無く、ベアリングの性能に悪影響を及ぼす心配も無くせる。
【発明を実施するための形態】
【００２６】
軸受２の内輪３の延長部４外周に、雄ネジ部６とテーパ−部７を設け、該テーパー部７に周方向へ等間隔状で切割り部８を設け、上記雄ネジ部６へ螺装する固定用ナット９に、その側面に周方向へ等間隔状に固定ボルト１３用の雌ネジ孔１２を形成し、内周のテーパー部１５で上記延長部４外周のテーパー部７へ套合する固定用カラー１４に、その側端面に周方向へ等間隔状で、上記固定用ナット９の雌ネジ孔１２に対応するボルト通挿用孔１７と、取外しボルト１９用の雌ネジ孔１８を形成することにより、軸受２を軸１へ取り付け固定時には、固定ボルト１３を固定用カラー１４のボルト通挿用孔１７から固定用ナット９の雌ネジ孔１２へ螺合して締め付け、また取り外し時には、取外しボルト１９を、固定用カラー１４の雌ネジ孔１８へ螺合して先端部で固定用ナット９の側面１１を押圧させ、固定用カラー１４を内輪延長部４の側端方向へ押し出させる。
【図面の簡単な説明】
【００２７】
【図１】本発明の第１の実施例の一部省略縦断正面図である。
【図２】図１で示したものの一部縦断右側面図である。
【図３】図１で示したものの要部の縦断正面図である。
【図４】図１で示したもので、取外し用の雌ネジ孔の位置で縦断した要部の縦断正面図である。
【図５】本発明の第２の実施例の一部省略縦断正面図である。
【図６】図１で示したもので用いた固定用ナットの側面図である。
【図７】図１で示したもので用いた固定用カラーの側面図である。
【実施例１】
【００２８】
図１ないし図４、及び図６、図７は、本発明に係る軸受の軸への取付構造の第１の実施例を示すものである。
【００２９】
１は軸を示し、２は上記軸１に取り付け固定する軸受を示す。該軸受２の内輪３には側方への延長部４を形成してあり、該延長部４の軸受２寄り外周に形成した段差部５を経て雄ネジ部６を形成してある。
【００３０】
また延長部４には、雄ネジ部６に続いて、先寄りほど小径となるテーパー部７を形成すると共に、該テーパー部７に周方向へ等間隔状でここでは６箇所に、軸方向への切割り部８を形成してある。
【００３１】
９は固定用ナットを示し、その内周には上記内輪延長部４の雄ネジ部６へ螺装可能な雌ネジ部１０を形成してある。また該固定用ナット９の側面から、周方向へ等間隔状でここでは３箇所に、固定ボルト１３を螺合可能な雌ネジ孔１２を形成してある。
【００３２】
１４は固定用カラーを示し、その内周は上記内輪延長部４外周のテーパー部７に対応するテーパー部１５を形成してあり、延長部４外周のテーパー部７へ套合可能としてある。また該固定用カラー１４の側面から、周方向へ等間隔状でここでは２箇所に、取外しボルト１９用に貫通した雌ネジ孔１８を形成すると共に、上記固定用ナット９の雌ネジ孔１２に対応して、固定ボルト１３用に貫通したボルト通挿用孔１７を形成してある。
【００３３】
そして、軸受２を軸１に取り付け固定する場合には、上記のように、軸受２を軸１の所定位置に套合させておき、該軸受２の内輪延長部４に形成した雄ネジ部６に、固定用ナット９を内周の雌ネジ部１０で段差部５まで螺合しておき、その後に該雄ネジ部６より側端側のテーパー部７へ、固定用カラー１４を内周のテーパー部１５により套合させる。次いで該固定用カラー１４の各ボルト通挿用孔１７から、固定ボルト１３を固定用ナット９の雌ネジ孔１２に各々螺合して均等に締め付ければよい。
【００３４】
これで、固定用カラー１４に図３の矢印Ｆで示すような力が作用して、該固定用カラー１４内周のテーパー部１５が内輪延長部４外周のテーパー部７へ乗り上げて嵌合する。そのため、内輪延長部４のテーパー部７に形成した各切割り部８は、同図３の矢印ｆで示す力を受けて軸心方向へ締め付けられるから、軸受２が軸１上に取り付け固定されることになる。
【００３５】
他方、軸受２を軸１から取り外す場合は、予め上記各固定ボルト１３を緩めて取り外しておき、取外しボルト１９を固定用カラー１４の取外し用の雌ネジ孔１８へ螺合させて、締め付ければよい。これで、取外しボルト１９の先端部が固定用ナット９の側面１１を押圧することになり、固定用カラー１４には図４の矢印ｒで示す力が働いて、内輪延長部４の側端方向（同図で右方向）へ押し出される。そのため、該固定用カラー１４は内輪延長部４のテーパー部７から外れ、切割り部８も絞り力を受けなくなるから、軸受２は軸１上を移動可能となって取り外せる。
【００３６】
上記固定用ナット９や固定用カラー１４の材質は、ここでは機械構造用炭素鋼のＳ１７Ｃとし、固定ボルト１３や取外しボルト１９の材質は、ここではクロムモリブデン鋼のＳＣＭ４３５とした。また上記固定用カラー１４や固定用ナット９には、ここではメッキ処理をし、上記ボルト１３，１９はここでは四三酸化鉄皮膜処理を施したものを用いた。
【００３７】
なお、上記取り付け固定および取り外し作業に伴う作用・効果は、先の発明の効果の項で詳しく説明したのと同様であるから、ここでは説明を省略する。また、図示例は球面コロ軸受に用いた例で示しているが、他の軸受でも用いられることは勿論である。
【実施例２】
【００３８】
図５は第２の実施例を示し、軸受２の軸１への取り付け固定をその両側で行う場合であり、上記実施例１で述べたことを軸受２の両側で行ったものであるから、詳細はここでは省略して概略を説明する。
【００３９】
軸受２の内輪３の両側に延長部４を形成し、各延長部４の外周に雄ネジ部６とテーパー部７を形成してあり、該各テーパー部７には周方向へ等間隔状で６箇所に切割り部８を形成してある。
【００４０】
９は固定用ナットを示し、その内面には雄ネジ部６へ螺装する雌ネジ部１０を有し、また該各固定用ナット９の側面から、周方向へ等間隔状に固定ボルト用の雌ネジ孔１２を形成してある。
【００４１】
１４は固定用カラーを示し、その内周には上記内輪３の延長部４外周のテーパー部７に対応して套合可能なテーパー部１５を有する。該固定用カラー１４の側面から、上記固定用ナット９の雌ネジ孔１２に対応して、周方向へ等間隔状にボルト通挿用孔１７と、同じく周方向へ等間隔状でここでは２箇所に取外しボルト１９用の雌ネジ孔１８を形成してある。
【００４２】
軸受２を軸１に取り付け固定する場合や取り外す場合の作用・効果は、上記実施例１で述べた点とほぼ同様であり、ここでは記載を省略する。
【産業上の利用可能性】
【００４３】
軸受２を軸１へ取り付け固定する場合において、特に熟練者でなくても容易・迅速に作業が行え、軸１と軸受２との軸心の狂いを小さくできると共に、軸受２内部で転がり位置がズレ難く、また軸１の周囲をキズ付けることもなく、かつ取り付け固定と取り外しの両方を行いたい場合に大いに有用である。
【符号の説明】
【００４４】
１−軸
２−軸受
３−内輪
４−延長部
５−段差部
６−雄ネジ部
７−テーパー部
８−切割り部
９−固定用ナット
１０−雌ネジ部
１１−側面
１２−雌ネジ孔
１３−固定ボルト
１４−固定用カラー
１５−テーパー部
１６−コロ
１７−ボルト通挿用孔
１８−雌ネジ孔
１９−取外しボルト
Ｆ−力
ｆ−力
ｒ−力
【図１】
0005959495.tif 000002
【図２】
0005959495.tif 000003
【図３】
0005959495.tif 000004
【図４】
0005959495.tif 000005
【図５】
0005959495.tif 000006
【図６】
0005959495.tif 000007
【図７】
0005959495.tif 000008